(57)【要約】【課題】合成樹脂製の床パン本体を主体とする防水床パンにおいて防音性を向上し、コンクリートの上にタイルを貼ったタイル床に近い歩行感が得られるようにする。【解決手段】合成樹脂製の床パン本体１の下面に補強材２を積層すると共に防音材３を積層して補強材２、防音材３を合成樹脂のオーバレイ層４により一体に被覆して床パン本体１と一体化する。【選択図】　　　　図１
2004084299.tif 000002
【特許請求の範囲】
【請求項１】
合成樹脂製の床パン本体の下面に補強材を積層すると共に防音材を積層して補強材、防音材を合成樹脂のオーバレイ層により一体に被覆して床パン本体と一体化して成ることを特徴とする防水床パン。
【請求項２】
補強材を床パン本体の下面に積層する合板と、床パン本体の下面に直接又は合板を介して積層する補強フレームとで構成し、防音材を補強フレーム間において合板の下面に積層して成ることを特徴とする防水床パン。
【請求項３】
防音材がセメント板であることを特徴とする請求項１又は請求項２記載の防水床パン。
【請求項４】
防音材が合成木であることを特徴とする請求項１又は請求項２記載の防水床パン。
【発明の詳細な説明】
【０００１】
【発明の属する技術分野】
本発明は、浴室などで使用される防水床パンに関するものである。
【０００２】
【従来の技術】
従来から浴室ユニットの防水床パンＡとして図５に示すような合成樹脂製の床パン本体１の下面に補強材２を積層して補強材２を床パン本体１をオーバレイ層４により一体に被覆して床パン本体１と一体化したものが知られている。この防水床パンの下面に積層する補強材２は床パン本体１の下面に積層する合板２ａと、床パン本体１の下面に直接又は合板２ａを介して積層する補強フレーム２ｂとで構成してあり、補強フレーム２ｂをスラブや基礎などの支持部５に載設して防水床パンＡを設置するようにしている。
【０００３】
ところが、上記のような合成樹脂製の床パン本体１を主体とする防水床パンＡにおいては、合成樹脂製の床パン本体１上に人が乗って移動したり、合成樹脂製の床パン本体１を叩くと、「ポコポコ」といったようなフォローサウンドと呼ばれる軽音が発生し、コンクリートの上にタイルを貼ったタイル床のような軽音が発生しない構造の浴室床に比べると、遮音性に乏しく、コンクリートの上にタイルを貼ったタイル床よりなる浴室床になれた人にとっては歩行感に違和感があり、合成樹脂製の床パン本体１を主体とする防水床パンにおいてコンクリートの上にタイルを貼ったタイル床よりなる浴室床に近い歩行感のものが望まれている。
【０００４】
上記フォローサウンドと呼ばれる軽音は床パン本体１上への歩行や打撃による音が図６のように合成樹脂製の床パン本体１の下面側において、補強フレーム２ｂ間の空間Ｂで音が共鳴することにより発生するものと考えられる。
【０００５】
そこで、従来にあっては防水床パンＡを現場で据え付け作業を行う際に、補強フレーム２ｂ間の空間にセメントを詰めて防音性を高めることも行われているが、これだと、現場作業が煩雑であり、また、セメントの場合、乾燥後のセメントの収縮により隙間が発生してこの部分で共鳴して軽音が発生するおそれがあり、また、現場作業であるため品質が安定しないものである。
【０００６】
【発明が解決しようとする課題】
本発明は上記の点に鑑みてなされたものであり、本発明の目的とするところは、合成樹脂製の床パン本体を主体とする防水床パンにおいて防音性を向上し、コンクリートの上にタイルを貼ったタイル床に近い歩行感が得られるようにすることを課題とするものである。
【０００７】
【課題を解決するための手段】
上記課題を解決するために本発明に係る防水床パンは、合成樹脂製の床パン本体１の下面に補強材２を積層すると共に防音材３を積層して補強材２、防音材３を合成樹脂のオーバレイ層４により一体に被覆して床パン本体１と一体化して成ることを特徴とするものである。このような構成とすることで、合成樹脂製の床パン本体１を補強材２により補強し、防音材３により防音できて、合成樹脂製の床パン本体１上を歩行しても「軽音」が発生せず、コンクリートの上にタイルを貼ったタイル床に近い歩行感が得られるものである。
【０００８】
また、補強材２を床パン本体１の下面に積層する合板２ａと、床パン本体１の下面に直接又は合板２ａを介して積層する補強フレーム２ｂとで構成し、防音材３を補強フレーム２ｂ間において合板２ａの下面に積層することが好ましい。このような構成とすることで、合板２ａの下面側において補強フレーム２ｂ間の隙間を防音材３で閉じて合成樹脂製の床パン本体１上を歩行した際に「軽音」が発生するのを防止できるものである。
【０００９】
ここで、防音材３がセメント板であったり、あるいは、防音材３が合成木であることが好ましいものである。
【００１０】
【発明の実施の形態】
以下、本発明を添付図面に示す実施形態に基づいて説明する。
【００１１】
床パン本体１はハンドレイ成形とよばれるＦＲＰ成形により形成されるものであり、床パン本体１の下面に補強材２と防音材３とを積層し、この補強材２と防音材３とを合成樹脂のオーバレイ層４により一体に被覆して床パン本体１と一体化することで防水床パンＡを構成してある。
【００１２】
具体的には図３、図４に示すようなＦＲＰ製の床パン本体１の下面の平坦な部分に補強材２となる合板２ａを積層し、更に、床パン本体１の下面に直接又は合板２ａを介して補強材２となる木製あるいは金属製の補強フレーム２ｂを積層し（ここで床パン本体１の下面外周端部においては床パン本体１に直接補強フレーム２ｂを積層し、外周端部に囲まれた部分においては合板２ａの下面に補強フレーム２ｂを積層している）、更に、補強フレーム２ｂ間の隙間を閉塞するように補強フレーム２ｂ間において合板２ａの下面に板状をした防音材３を積層し、このように補強材２、防音材３を積層した状態でハンドレイ法により補強材２と防音材３とを合成樹脂でオーバレイして、このようにして形成したオーバレイ層４により図１、図２に示すように補強材２と防音材３とを一体に被覆してオーバレイ層４により床パン本体１と一体化してある。上記のような構成の防水床パンＡはハンドレイ成形により床パン本体１を成形する一連の成形過程において、補強材２、防音材３を積層してオーバレイ層４を形成することで形成するようになっている。
【００１３】
補強材２と防音材３とを合成樹脂のオーバレイ層４により一体に被覆して床パン本体１と一体化するに当たっては、床パン本体１の下面に合板２ａを積層してオーバレイ層４を形成して合板２ａと床パン本体１とを一体化すると共に、補強フレーム２ｂを積層してオーバレイ層４を形成して補強フレーム２ｂと床パン本体１とを一体化し、更に、補強フレーム２ｂ間に防音材３を積層してオーバレイ層４を形成することで防音材３と合板２ａと補強フレーム２ｂと床パン本体１とを一体化するようにしたり、あるいは、床パン本体１の下面に合板２ａを積層し、更に床パン本体１の下面に補強フレーム２ｂを直接又は合板２ａを介して積層し、更に、補強フレーム２ｂ間に防音材３を積層し、その後に合成樹脂のオーバレイ層４を形成して合板２ａ、補強フレーム２ｂ、防音材３、床パン本体１に同時に一体化するようにしてもよい。
【００１４】
ここで、補強フレーム２ｂ間に配置されて合板２ａに積層される防音材３としては、例えば、セメント板、あるいは合成木がある。防音材３として用いるセメント板は質量により防音効果を発揮するようにしており、厚み１５ｍｍ以上のものを使用する。また、セメント板は軽量であるが板厚により防音効果を発揮するようにしており、厚みは３０ｍｍ以上のものを使用する。防音材３としては他に防音効果が出せる材料で且つ安価で且つ上記ハンドレイ法による成形に支障がないものであれば任意に採用できるものである。
【００１５】
なお、補強フレーム２ｂ間に配置されて合板２ａに積層される防音材３は下端が補強フレーム２ｂの下端よりも上に位置するようにし、基礎やスラブ等の支持部に対しては補強フレーム２ｂの下端が載置されるようにする。
【００１６】
上記のような構成の防水床パンＡは基礎やスラブ等の支持部に載置されて浴室の床を構成するのであるが、この防水床パンＡは合成樹脂製（ＦＲＰ製）の床パン本体１により主体を構成してあると言えども床パン本体１の上面を歩行したり叩いたりした場合、防音材３により防音できて「ポコポコ」といったようなフォローサウンドと呼ばれる軽音が発生し難く、コンクリートの上にタイルを貼ったタイル床よりなる浴室床に近い歩行感となるものである。特に、補強フレーム２ｂ間の隙間が防音材３で遮蔽されるので、補強フレーム２ｂ間の隙間で音が共鳴して軽音が発生することが確実に防止されることになる。
【００１７】
そして、このように防音性の優れた本発明の防水床パンＡは、前述のようにハンドレイ成形とよばれるＦＲＰ成形により床パン本体１を成形してハンドレイ法によりオーバレイ層４を形成するという一連の成形により形成できるので、現場で防水床パンＡの据え付け時に補強フレーム２ｂ間にセメントを埋め込んで防音性を確保するといったような煩雑な現場作業が必要でなく、また、セメント硬化後に収縮して隙間が発生するといったようなこともなく、安定した防音性を発揮できるものであり、また、工場生産のため安定した品質管理ができるものである。
【００１８】
【発明の効果】
上記のように本発明にあっては、合成樹脂製の床パン本体の下面に補強材を積層すると共に防音材を積層して補強材、防音材を合成樹脂のオーバレイ層により一体に被覆して床パン本体と一体化してあるので、合成樹脂製の床パン本体を補強材により補強し、防音材により防音できて、合成樹脂製の床パン本体上を歩行しても「軽音」が発生せず、コンクリートの上にタイルを貼ったタイル床に近い歩行感が得られるものであり、また、合成樹脂のオーバレイ層により補強材、防音材を一体に被覆して床パン本体と一体化してあるので、補強材、防音材の防水性を確保すると共に簡単且つ確実にオーバレイ層により補強材、防音材、床パン本体を一体化できて品質管理が安定してでき、また、現場においては補強材、防音材、床パン本体を一体化した防水床パンを据え付けるのみで現場で特別な防音のための工事をする必要がなくて、現場施工性も向上するものである。
【００１９】
また、補強材を床パン本体の下面に積層する合板と、床パン本体の下面に直接又は合板を介して積層する補強フレームとで構成し、防音材を補強フレーム間において合板の下面に積層してあるので、合板の下面側において補強フレーム間の隙間を防音材で閉塞して合成樹脂製の床パン本体上を歩行した際に補強フレーム間で音が共鳴することがなくて「軽音」が発生するのを確実に防止できるものである。
【図面の簡単な説明】
【図１】本発明の防水床パンの断面図である。
【図２】同上の要部拡大断面図である。
【図３】同上に用いる床パン本体の平面図である。
【図４】同上に用いる床パン本体の断面図である。
【図５】従来例の断面図である。
【図６】従来例の問題点を示す説明図である。
【符号の説明】
１　床パン本体
２　補強材
２ａ　合板
２ｂ　補強フレーム
３　防音材
４　オーバレイ層
【図１】
2004084299.tif 000003
【図２】
2004084299.tif 000004
【図３】
2004084299.tif 000005
【図４】
2004084299.tif 000006
【図５】
2004084299.tif 000007
【図６】
2004084299.tif 000008